【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
折りたたまれた送達形態と、拡張された展開形態とを有し、血管から閉塞血餅を除去するための血餅回収デバイスであって、
遠位端と近位端とを有する細長い内側本体と、
遠位端と近位端とを有する細長い外側本体であって、少なくとも部分的に前記細長い内側本体の上に重なる細長い外側本体と、
を備え、
前記細長い外側本体は、血餅受け入れ空間を画定するために前記展開形態において前記細長い内側本体の半径方向範囲より大きな半径方向範囲まで拡張可能であり、
前記血餅回収デバイスは更に、
遠位端と近位端とを有する細長いシャフトであって、
前記細長い内側本体及び前記細長い外側本体の前記近位端が当該細長いシャフトの当該遠位端に結合された、細長いシャフトを備え、
前記細長い内側本体は、
相互接続されたストラットの円筒状区画と、
前記細長い内側本体の前記遠位端で拡張されたストラットの拡張可能区画であって、相互接続されたストラットの前記円筒状区画の直径より大きな直径を有する拡張されたストラットの拡張可能区画と、
を備え、
相互接続されたストラットの前記円筒状区画の近位端は、前記細長いシャフトの前記遠位端に接続され、
前記相互接続されたストラットの遠位端は、拡張されたストラットの前記拡張可能区画に接続された、血餅回収デバイス。
【請求項２】
前記細長い外側本体は、遠位ストラットを備える遠位端部分を備える、請求項１に記載の血餅回収デバイス。
【請求項３】
前記細長い内側本体の拡張されたストラットの前記拡張可能区画及び前記細長い外側本体の前記遠位端部分の前記遠位ストラットは共に、前記デバイスからの血餅又は血餅断片の遠位放出を実質的に防止するための三次元保護構造を画定する、請求項２に記載の血餅回収デバイス。
【請求項４】
前記細長い内側本体は、相互接続されたストラットの前記円筒状区画及び拡張されたストラットの前記拡張可能区画から構成される、請求項１乃至３のいずれか一項に記載の血餅回収デバイス。
【請求項５】
相互接続されたストラットの前記円筒状区画は、その近位端で部分的カラーに接続され、
選択的には、相互接続されたストラットの前記円筒状区画は、その近位端でストラットによって前記部分的カラーに接続される、請求項１乃至４のいずれか一項に記載の血餅回収デバイス。
【請求項６】
前記細長い外側本体の前記近位端は、カラーを備え、
選択的には、前記細長いシャフトは、その遠位端に隣接し前記細長い外側本体及び前記細長い内側本体の近位にあるコイルと、一体型カラーと、及び／又は、ステップ機構と、を有する、請求項５に記載の血餅回収デバイス。
【請求項７】
前記細長い内側本体の前記拡張可能区画は、ストラットの隆起した又はフレア状に広げられた骨組みを備える、請求項１乃至６のいずれか一項に記載の血餅回収デバイス。
【請求項８】
前記細長い外側本体の前記遠位端部分の前記遠位ストラットは、略円錐形状で構成される、請求項２乃至７のいずれか一項に記載の血餅回収デバイス。
【請求項９】
前記細長い内側本体の前記遠位端の前記拡張されたストラットの少なくともいくつかは、ファイバの受け入れのための、小穴などの取り付け点を備える、請求項１乃至８のいずれか一項に記載の血餅回収デバイス。
【請求項１０】
前記保護構造は、遠位ネットを提供する複数のファイバを含む、請求項３乃至９のいずれか一項に記載の血餅回収デバイス。
【請求項１１】
前記細長い内側本体は、前記細長い外側本体の近位端の近位方向に延びる、請求項１乃至１０のいずれか一項に記載の血餅回収デバイス。
【請求項１２】
前記細長い外側本体は、複数の血餅受け入れ開口と複数の血餅係合領域とを備え、
前記血餅係合領域は、血餅と係合するとき、血餅を前記血餅受け入れ開口に向けて前記細長い外側本体と前記細長い内側本体との間の前記血餅受け入れ空間へと押しやるように適合される、請求項１乃至１１のいずれか一項に記載の血餅回収デバイス。
【請求項１３】
前記細長い外側本体の前記血餅係合領域は、骨格開口（scaffolding openings）を備え、
前記血餅受け入れ開口は、前記骨格開口より実質的に大きい、請求項１２に記載の血餅回収デバイス。
【請求項１４】
前記細長い外側本体は、少なくとも２つの長手方向に離間されたセグメントを備える、請求項１乃至１３のいずれか一項に記載の血餅回収デバイス。
【請求項１５】
少なくとも一つのヒンジが、前記セグメントの間に設けられる、請求項１４に記載の血餅回収デバイス。
【請求項１６】
細長い部材を更に備え、
前記細長い外側本体は第１の管状構造を備え、前記細長い内側本体は第２の管状構造を備え、
前記第１の管状構造は、前記第２の管状構造を少なくとも部分的に取り囲み、
前記第１の管状構造は、近位端と遠位端と近位終端と遠位終端とを備え、
前記第２の管状構造は、近位端と遠位端と近位終端と遠位終端とを備え、
前記第１及び第２の管状構造の前記近位終端は、前記細長い部材に接続され、
前記第１及び第２の管状構造の前記遠位終端は、互いに接続される、請求項１乃至１５のいずれか一項に記載の血餅回収デバイス。
【請求項１７】
前記第１の管状構造及び前記第２の管状構造は、接続点で前記細長い部材の遠位端に接続され、
前記第１の管状構造は、第１の近位接続ストラット及び第１のコネクタ要素を備え、
前記第２の管状構造は、第２の近位接続ストラット及び第２のコネクタ要素を備え、
前記第１のコネクタ要素は、前記接続点で前記第２のコネクタ要素を取り囲む、請求項１６に記載の血餅回収デバイス。
【請求項１８】
細長い部材と、
その拡張状態で血餅を横切って延びるように構成された拡張可能な血餅係合要素と、更に備え、
前記拡張可能な血餅係合要素は、第１の管状構造及び第２の管状構造を備え、
前記第１の管状構造は、直径が前記第２の管状構造より大きく、
前記細長い外側本体の前記遠位端部分の前記遠位ストラットの少なくともいくつかは、当該細長い外側本体の軸に向かって収束し、
前記細長い内側本体の前記遠位端の前記拡張されたストラットの少なくともいくつかは、当該細長い内側本体の軸から離れて分かれる、請求項３乃至１４のいずれか一項に記載の血餅回収デバイス。
【請求項１９】
折りたたまれた送達形態と、拡張された展開形態とを有する拡張可能本体を含み、血管から閉塞血餅を除去するための血餅回収デバイスであって、
前記拡張可能本体は、拡張可能な近位内側部材と、拡張可能な遠位外側部材と、を備え、
前記拡張可能な近位内側部材は、前記拡張可能な遠位外側部材の近位にあり、
前記拡張可能な近位内側部材及び前記拡張可能な遠位外側部材は、重複せず、モノリシック構造で単一片の材料で作製された連続した骨組みに形成され、
前記拡張可能な近位内側部材は、直径が拡張したとき前記拡張可能な遠位外側部材よりも小さく、当該拡張可能な遠位外側部材は拡張して前記デバイスが使用されることを意図した血管の壁と係合するように構成され、当該拡張可能な近位内側部材は当該血管より小さい直径に拡張するように構成され、
前記デバイスは細長いシャフトを備え、前記拡張可能な近位内側部材は当該細長いシャフトの遠位部分に取り付けられる、血餅回収デバイス。
【請求項２０】
前記連続した骨組みは、ストラットと接続要素とを備え、骨格を形成する、請求項１９に記載の血餅回収デバイス。
【請求項２１】
前記拡張可能本体の遠位ストラットは、円錐形骨格領域内で終端する、請求項２０に記載の血餅回収デバイス。
【請求項２２】
前記拡張可能本体の遠位ストラットは、遠位ネットに取り付けられる、請求項２０に記載の血餅回収デバイス。
【請求項２３】
前記拡張可能な近位内側部材は、前記拡張可能な遠位外側部材より高密度の骨格を有する、請求項２０乃至２２のいずれか一項に記載の血餅回収デバイス。